(57)【要約】      （修正有）【課題】水中に吊り下ろす際の電気防食陽極の傾きを抑え、効率的に作業を行えるようにする電気防食陽極用吊り具の提供。【解決手段】電気防食陽極用吊り具は、吊り下ろし用ワイヤ７が連結される連結部１１を有する治具基体１２と、治具基体１２に上下に向けて支持されている互いに平行な一対の鉤体１３とを備え、各鉤体１３は、治具基体１２に支持された鉤元部１３ａと、鉤元部１３ａの下端より突出させた下受け部１３ｂと、下受け部１３ｂより上向きに延出させた回転防止用鉤先部１３ｃとを備え、回転防止用鉤先部１３ｃを接合金具６の内側に差し込み、接合金具６の下端を下受け部１３ｂに支持させるとともに、鉤元部１３ａと回転防止用鉤先部１３ｃとの間に接合金具６を挟み込むようにした。【選択図】図１
0003199818.tif 000002
【実用新案登録請求の範囲】
【請求項１】
両端から突出した接続端子を備え、該接続端子に固定された接合金具を水中構造体に接合させるようにしてなる電気防食陽極を水中に吊り下ろす際に使用する電気防食陽極用吊り具において、
吊り下ろし用ワイヤが連結される連結部を有する治具基体と、該治具基体に上下に向けて支持されている互いに平行な一対の鉤体とを備え、
前記各鉤体は、前記治具基体に支持された鉤元部と、該鉤元部の下端より突出させた下受け部と、該下受け部より上向きに延出させた回転防止用鉤先部とを備え、前記回転防止用鉤先部を前記接合金具の内側に差し込み、前記接合金具の下端を前記下受け部に支持させるとともに、前記鉤元部と回転防止用鉤先部との間に前記接合金具を挟み込むようにしたことを特徴とする電気防食陽極用吊り具。
【請求項２】
前記連結部は、前記治具基体の背面に突設され、該連結部の前記治具基体より離れた側に片寄せて前記吊り下ろし用ワイヤが連結される連結孔が形成されている請求項１に記載の電気防食陽極用吊り具。
【請求項３】
前記鉤元部は、前記治具基体と一体に形成されている請求項１又は２に記載の電気防食陽極用吊り具。
【考案の詳細な説明】
【技術分野】
【０００１】
本考案は、水中に設置された鋼管杭や鋼矢板等の金属構造体の腐食防止に使用する電気防食陽極を水中に吊り下ろして設置する際、電気防食陽極と吊り下ろし用ワイヤとを連結する電気防食陽極用吊り具に関する。
【背景技術】
【０００２】
港湾施設等の基礎に使用される鋼管や護岸を構成する鋼矢板等の金属構造体では、水中に晒された厳しい環境条件下にある為、アルミニウム、亜鉛又はマグネシウム若しくはこれらの合金からなる電気防食陽極を金属構造体に接続し、両者の電位差による電池作用によって陽極からの防食電流を連続的に金属構造体に流し防食するようにした所謂流電陽極方式による電気防食法を広く用いている。
【０００３】
電気防食陽極１は、図４に示すように、直方体ブロック状に鋳造された陽極本体２と、その両端から接続端子３，３が突出するように陽極本体２内に埋設された芯材４とを備え、両接続端子３，３の途中に屈曲部３ａを介在させて各先端３ｂを陽極本体２の一面２ａより突出させている。
【０００４】
また、電気防食陽極１では、一対の接合片６ａ，６ａを有する溝形鋼からなる溝形状の接合金具６を接続端子３，３の先端部３ｂに予め固定しておき、両接合片６ａ，６ａを鋼管等の金属構造体５に溶接する取付け方法が一般的に採用されている。
【０００５】
この電気防食陽極１を設置するには、図５に示すように、吊り下ろし用ワイヤ７の下端にシャクル等の取付具８を取付け、この取付具８に連結した玉掛けワイヤ９を接合金具６部分に玉掛けし、その状態で所望の位置まで水中に吊り下ろし、その位置で両端に取り付けた接合金具６，６を鋼管等の金属構造体５に潜水士が溶接するようになっている（例えば、特許文献１を参照）。
【先行技術文献】
【特許文献】
【０００６】
【特許文献１】特開２００１−１４００８７号公報
【考案の概要】
【考案が解決しようとする課題】
【０００７】
しかしながら、上述の如き従来の技術では、陽極本体の一面より突出させた両接続端子先端部の接合金具部分に吊り下ろし用ワイヤの下端を玉掛けするため、電気防食陽極を水中に吊り下ろす際、吊り下ろし用ワイヤの中心軸と電気防食陽極の重心位置との間で水平方向のずれが生じ、吊り下ろした際に回転モーメントが電気防食陽極に作用して傾いてしまうという問題がある。
【０００８】
このような傾きを修正する作業は、回転モーメントに抗して行わなければならず、水中で足場等の反力を得ることが難しい状況では作業効率が悪いという問題があった。
【０００９】
また、傾いた状態で電気防食陽極を吊り下ろすと、その作業中に下端側の接合金具のエッジ部分が鋼管等の金属構造体の表面に接触し、金属構造体表面の塗装を剥がしてしまったり、傷つけてしまったりするおそれもあった。
【００１０】
そこで、本考案は、このような従来の問題に鑑み、水中に吊り下ろす際の電気防食陽極の傾きを抑え、効率的に作業を行えるようにする電気防食陽極用吊り具の提供を目的としてなされたものである。
【課題を解決するための手段】
【００１１】
本考案に係る請求項1に記載の考案の特徴は、両端から突出した接続端子を備え、該接続端子に固定された接合金具を水中構造体に接合させるようにしてなる電気防食陽極を水中に吊り下ろす際に使用する電気防食陽極用吊り具において、吊り下ろし用ワイヤが連結される連結部を有する治具基体と、該治具基体に上下に向けて支持されている互いに平行な一対の鉤体とを備え、前記各鉤体は、前記治具基体に支持された鉤元部と、該鉤元部の下端より突出させた下受け部と、該下受け部より上向きに延出させた回転防止用鉤先部とを備え、前記回転防止用鉤先部を前記接合金具の内側に差し込み、前記接合金具の下端を前記下受け部に支持させるとともに、前記鉤元部と回転防止用鉤先部との間に前記接合金具を挟み込むようにした電気防食陽極用吊り具にある。
【００１２】
請求項２に記載の考案の特徴は、請求項１の構成に加え、前記連結部は、前記治具基体の背面に固定され、該連結部の前記治具基体より離れた側に片寄せて前記吊り下ろし用ワイヤが連結される連結孔が形成されていることにある。
【００１３】
請求項３に記載の考案の特徴は、請求項１又は２の構成に加え、前記鉤元部は、前記治具基体と一体に形成されていることにある。
【考案の効果】
【００１４】
本考案に係る電気防食陽極用吊り具においては、両端から突出した接続端子を備え、該接続端子に固定された接合金具を水中構造体に接合させるようにしてなる電気防食陽極を水中に吊り下ろす際に使用する電気防食陽極用吊り具において、吊り下ろし用ワイヤが連結される連結部を有する治具基体と、該治具基体に上下に向けて支持されている互いに平行な一対の鉤体とを備え、前記各鉤体は、前記治具基体に支持された鉤元部と、該鉤元部の下端より突出させた下受け部と、該下受け部より上向きに延出させた回転防止用鉤先部とを備え、前記回転防止用鉤先部を前記接合金具の内側に差し込み、前記接合金具の下端を前記下受け部に支持させるとともに、前記鉤元部と回転防止用鉤先部との間に前記接合金具を挟み込むようにしたことにより、傾きを抑制した状態で電気防食陽極を水中に吊り下ろすことができ、作業効率の向上を図ることができる。また、電気防食陽極に対し容易に着脱することができる。
【００１５】
また、本考案において、前記連結部は、前記治具基体の背面に固定され、該連結部の前記治具基体より離れた側に片寄せて前記吊り下ろし用ワイヤが連結される連結孔が形成されていることにより、吊り具に対する電防食陽極の回転が規制されるとともに、電気防食陽極の重心と吊り下ろし用ワイヤの位置とのずれを小さくでき、電気防食陽極の傾きを抑えて安定した姿勢を保つことができる。
【図面の簡単な説明】
【００１６】
【図１】本発明に係る電気防食陽極用吊り具の使用態様を示す側面図である。
【図２】（ａ）は図１中の電気防食陽極用吊り具を示す正面図、（ｂ）は同側面図である。
【図３】図１中の電気防食陽極用吊り具の取付け状態を示す部分拡大正面図である。
【図４】（ａ）は電気防食陽極の一例を示す側面図、（ｂ）は同平面図である。
【図５】従来の電気防食陽極の吊り下ろし作業の態様を示す側面図である。
【考案を実施するための形態】
【００１７】
次に、本考案に係る電気防食陽極用吊り具の実施形態を図１〜図３に示した実施例に基づいて説明する。尚、図中符号１は電気防食陽極、符号１０は電気防食陽極用吊り具（以下、単に吊り具という）である。また、上述の従来例と同様の構成には、同一符号を付して説明する。
【００１８】
電気防食陽極１は、上述した従来例と同様に、直方体ブロック状に鋳造されたアルミニウム等からなる陽極本体２と、その両端から接続端子３，３が突出するように陽極本体２内に埋設された芯材４とを備え、両接続端子３，３の途中に屈曲部３ａを介在させて各先端部３ｂを陽極本体２の一面２ａより突出させている。
【００１９】
この電気防食陽極１は、各接続端子３，３の先端部３ｂに溝型状の接合金具６が溶接等によって固定され、この接合金具６を介して金属構造体５に接続するようになっている。
【００２０】
接合金具６は、溝形鋼を適当な長さに切断して形成され、接続端子３，３の先端部３ｂに溶接等によって固定される背板部６ｂと、背板部６ｂの両側縁より垂直に折り曲げた形状の一対の接合片６ａ，６ａとを備え、両接合片６ａ，６ａを電気防食陽極１の長手方向と平行に向けている。
【００２１】
尚、背板部６ｂは、芯材４（接続端子３）の幅より広く形成され、背板部６ｂの両端が芯材４の両側に張り出した状態で芯材４の接続端子３，３に固定されている。
【００２２】
吊り具１０は、図２に示すように、吊り下ろし用ワイヤ７が連結される連結部１１を有する治具基体１２と、治具基体１２に上下に向けて支持されている互いに平行な一対の鉤体１３，１３とを備え、両鉤体１３，１３と接合金具６とを係合させることにより、電気防食陽極１を吊り下ろし用ワイヤ７の下端に連結できるようにしている。
【００２３】
治具基体１２は、鋼板等によって矩形板状に形成され、両端前面にそれぞれ鉤体１３，１３が溶接等によって固定され、背面に連結部１１が溶接によって固定されている。
【００２４】
連結部１１は、鋼板等によって矩形板状に形成され、その一方（前方）の側縁を治具基体１２の背面中央に溶接等によって固定し、治具基体１２に対し垂直に突設されている。
【００２５】
この連結部１１には、その板厚方向に貫通した連結孔１１ａが形成され、この連結孔１１ａにシャックル等の取付具８を介して吊り下ろし用ワイヤ７の下端が連結できるようになっている。尚、この連結孔１１ａは、連結部１１の治具基体１２より離れた側に片寄せて形成されている。
【００２６】
各鉤体１３，１３は、鋼板等の板材により一体に形成され、治具基体１２の前面に支持された鉤元部１３ａと、鉤元部１３ａの下端より突出させた下受け部１３ｂと、下受け部１３ｂより上向きに延出させた回転防止用鉤先部１３ｃとを備え、鉤元部１３ａ、下受け部１３ｂ及び回転防止用鉤先部１３ｃがＪ字状を成している。
【００２７】
鉤元部１３ａは、縦向きの板棒状に形成され、その側縁上端が治具基体１２の前面に溶接等によって強固に固定されている。
【００２８】
回転防止用鉤先部１３ｃは、鉤元部１３ａと平行であって鉤元部１３ａよりも短い縦向きの板棒状に形成され、その下端が鉤元部１３ａの下端と下受け部１３ｂをもって一体に連結されている。
【００２９】
鉤元部１３ａと回転防止用鉤先部１３ｃとは、接合金具６の背板部６ｂの板厚と略同じ距離を置いて平行に配置され、回転防止用鉤先部１３ｃを背板部６ｂの前面側に差し込むことにより、下受け部１３ｂで背板部６ｂの下端が支持されるとともに、背板部６ｂが鉤元部１３ａと回転防止用鉤先部１３ｃとの間に挟み込まれるようになっている。
【００３０】
このように構成された電気防食陽極用吊り具１０は、回転防止用鉤先部１３ｃを背板部６ｂの前面側に差し込み両鉤体１３，１３を電気防食陽極１の一方の接続端子先端部１３ｂに固定された接合金具６に係合させ、その状態で吊り下ろし用ワイヤ７で吊り下ろすと、図１及び図３に示すように、接合金具６の背板部６ｂ下端が下受け部１３ｂに支持され、且つ、背板部６ｂの前後が鉤体１３，１３の鉤元部１３ａと回転防止用鉤先部１３ｃとの間に挟み込まれる。
【００３１】
よって、接合金具６が鉤体１３，１３の鉤元部１３ａと回転防止用鉤先部１３ｃとに挟み込まれているので、吊り具１０に対する接合金具６の回転が規制され、それに伴い電気防食陽極１に作用する回転モーメントを抑制し、電気防食陽極１の傾きを防止することができる。
【００３２】
このように電気防食陽極１の傾きが防止されれば、潜水士が水中で金属構造体５等に反力を取って電気防食陽極１の傾きを修正する必要がなく、作業効率が向上する。
【００３３】
また、電気防食陽極１は、傾きが防止された状態で吊り下ろされるので、接触用金具６のエッジ部分が金属製構造体５の表面に接触して、塗装を剥離させたり傷つけたりすることを防止することができる。
【００３４】
一方、接合金具６を金属構造体５に溶接等によって固定した後は、その状態から吊り下ろし用ワイヤ７を繰り出し、各鉤体１３，１３と接合金具６との係合状態を解除するだけで吊り具１０を簡単に取り外すことができる。
【００３５】
尚、上述の実施例では、鉤元部１３ａを治具基体１２の前面に突設した例について説明したが、鉤元部を治具基体１２と一体に形成し、治具基体１２の下端全面より下受け部１３ｂを突出させ、回転防止用鉤先部１３ｃと治具基体１２との間に接合金具６の背板部６ｂを挟み込むようにしてもよい。
【符号の説明】
【００３６】
１  電気防食陽極
２  陽極本体
３  接続端子
４  芯材
５  金属構造体
６  接合金具
７  吊り下ろし用ワイヤ
８  取付具
９  玉掛けワイヤ
１０  電気防食陽極用吊り具
１１  連結部
１２  治具基体
１３  鉤体
１３ａ  鉤元部
１３ｂ  下受け部
１３ｃ  回転防止用鉤先部
【図１】
0003199818.tif 000003
【図２】
0003199818.tif 000004
【図３】
0003199818.tif 000005
【図４】
0003199818.tif 000006
【図５】
0003199818.tif 000007